(57)【特許請求の範囲】
【請求項１】
サウンディング参照信号送信方法であって、
基地局が、多地点協調送信モードでのユーザ装置に、サウンディング参照信号の送信用のパラメータ構成情報を構成し、前記パラメータ構成情報は、サウンディング参照信号の周波数コーム、及び、次の情報、即ち、サウンディング参照信号の循環シフト、シーケンス情報、パワー制御情報及び送信回数情報のうちの１個以上を含み；及び、
前記基地局が、前記パラメータ構成情報をユーザ装置に送信し、前記ユーザ装置が、前記パラメータ構成情報に基づいて、前記基地局にサウンディング参照信号を送信することを含み、
同一セルの異なる多地点協調セットのユーザ装置のサウンディング参照信号のシーケンス情報は異なり、同一セルの同一多地点協調セットのユーザ装置のサウンディング参照信号のシーケンス情報は同じである、方法。
【請求項２】
請求項１に記載の方法であって、
前記パラメータ構成情報のパラメータ値は、非多地点協調モードでのパラメータ構成情報のパラメータ値とは異なる、方法。
【請求項３】
請求項１に記載の方法であって、
前記基地局が前記パラメータ構成情報をユーザ装置に送信することは、
前記基地局が、サウンディング参照信号リソースの割り当てを指示するための下り制御情報を生成し、前記下り制御情報は、前記パラメータ構成情報に対応する指示情報、及び、前記下り制御情報を識別するための標識情報を含み；及び、
前記下り制御情報をユーザ装置に送信することを含む、方法。
【請求項４】
請求項１に記載の方法であって、
前記基地局により構成される前記パラメータ構成情報は、複数組であり、
前記基地局は、上位層シグナリングによって、複数組の前記パラメータ構成情報を前記ユーザ装置に送信する、方法。
【請求項５】
請求項４に記載の方法であって、更に、
前記ユーザ装置のサウンディング参照信号の送信をトリガーする、且つ、前記サウンディング参照信号の送信に使用する一組のパラメータ構成情報を指示するための下り制御情報を生成し；及び、
前記ユーザ装置に前記下り制御情報を送信することを含む、方法。
【請求項６】
サウンディング参照信号送信方法であって、
多地点協調送信モードに入っていると構成されているユーザ装置が、基地局から送信されたパラメータ構成情報を受信し、前記パラメータ構成情報は、サウンディング参照信号の周波数コーム、及び、次の情報、即ち、サウンディング参照信号の循環シフト、シーケンス情報、パワー制御情報及び送信回数情報のうちの１個以上を含み；及び、
前記ユーザ装置が、前記パラメータ構成情報に基づいて、前記基地局にサウンディング参照信号を送信することを含み、
同一セルの異なる多地点協調セットのユーザ装置のサウンディング参照信号のシーケンス情報は異なり、同一セルの同一多地点協調セットのユーザ装置のサウンディング参照信号のシーケンス情報は同じである、方法。
【請求項７】
基地局であって、
情報構成器であって、前記情報構成器は、多地点協調送信モードでのユーザ装置に、サウンディング参照信号の送信用のパラメータ構成情報を構成するために用いられ、前記パラメータ構成情報は、サウンディング参照信号の周波数コーム、及び、次の情報、即ち、サウンディング参照信号の循環シフト、シーケンス情報、パワー制御情報及び送信回数情報のうちの１個以上を含む、情報構成器；及び
第一情報送信器であって、前記第一情報送信器は、前記パラメータ構成情報をユーザ装置に送信するために用いられ、前記ユーザ装置は、前記パラメータ構成情報に基づいて、前記基地局にサウンディング参照信号を送信する、第一情報送信器を含み、
同一セルの異なる多地点協調セットのユーザ装置のサウンディング参照信号のシーケンス情報は異なり、同一セルの同一多地点協調セットのユーザ装置のサウンディング参照信号のシーケンス情報は同じである、基地局。
【請求項８】
請求項７に記載の基地局であって、
前記第一情報送信器は、
第一情報生成器であって、サウンディング参照信号リソースの割り当てを指示するための下り制御情報を生成するために用いられ、前記下り制御情報は、前記パラメータ構成情報に対応する指示情報、及び、前記下り制御情報を識別するための標識情報を含む、第一情報生成器；及び、
第一送信器であって、前記下り制御情報をユーザ装置に送信するために用いられる、第一送信器を含む、基地局。
【請求項９】
請求項７に記載の基地局であって、
前記基地局により構成される前記パラメータ構成情報は、複数組であり、
前記第一情報送信器は、具体的に、上位層シグナリングによって複数組の前記パラメータ構成情報を前記ユーザ装置に送信するために用いられる、基地局。
【請求項１０】
請求項９に記載の基地局であって、
前記基地局は、更に、
第二情報生成器であって、前記ユーザ装置のサウンディング参照信号の送信をトリガーする、且つ、前記サウンディング参照信号の送信に使用する一組のパラメータ構成情報を指示するための下り制御情報を生成するために用いられる、第二情報生成器；及び
第二送信器であって、前記第二情報生成器により生成されている下り制御情報を前記ユーザ装置に送信するために用いられる、第二送信器を含む、基地局。
【請求項１１】
ユーザ装置であって、
前記ユーザ装置は、多地点協調送信モードに構成され、前記ユーザ装置は、
情報受信器であって、基地局から送信されたパラメータ構成情報を受信するために用いられ、前記パラメータ構成情報は、サウンディング参照信号の周波数コーム、及び、次の情報、即ち、サウンディング参照信号の循環シフト、シーケンス情報、パワー制御情報及び送信回数情報のうちの１個以上を含む、情報受信器；及び、
第二情報送信器であって、前記パラメータ構成情報に基づいて、前記基地局にサウンディング参照信号を送信するために用いられる、第二情報送信器を含み、
同一セルの異なる多地点協調セットのユーザ装置のサウンディング参照信号のシーケンス情報は異なり、同一セルの同一多地点協調セットのユーザ装置のサウンディング参照信号のシーケンス情報は同じである、ユーザ装置。
【請求項１２】
コンピュータ可読プログラムであって、
基地局において前記プログラムを実行する時に、前記プログラムは、コンピュータに、前記基地局において請求項１〜５のうちのいずれか１項に記載のサウンディング参照信号送信方法を実行させる、プログラム。
【請求項１３】
コンピュータ可読プログラムを記録した記録媒体であって、
前記コンピュータ可読プログラムは、コンピュータに、基地局において、請求項１〜５のうちのいずれか１項に記載のサウンディング参照信号送信方法を実行させる、記録媒体。
【請求項１４】
コンピュータ可読プログラムであって、
ユーザ装置において前記プログラムを実行する時に、前記プログラムは、コンピュータに、前記ユーザ装置において請求項６に記載のサウンディング参照信号送信方法を実行させる、プログラム。
【請求項１５】
コンピュータ可読プログラムを記録した記録媒体であって、
前記コンピュータ可読プログラムは、コンピュータに、ユーザ装置において請求項６に記載のサウンディング参照信号送信方法を実行させる、記録媒体。
【発明の詳細な説明】
【技術分野】
【０００１】
本発明は、無線通信分野に関し、特に、多地点協調モードでのサウンディング参照信号の送信方法、基地局及びユーザ装置に関する。
【背景技術】
【０００２】
LTE-Advanced(LTE-Advanced、Advanced  Long-term  Evolution  System)システムにおいて、セルのエッジユーザのスループットを増加させるために、多地点協調（CoMP、Coordinated  Multiple  Point)送信技術が広く注目されている。
【０００３】
図1は、RRH（Remote  Radio  Head）に基づく同一セルの多地点協調送信シナリオを示す図であり、図2は、RRHに基づく異なるセルの多地点協調送信シナリオを示す図である。図1及び図2から分かるように、同一セルの異なる送信ポイントは、協調送信を行うことができ、また、異なるセルの異なる送信ポイントは、協調送信を行うこともできる。
【０００４】
多地点協調送信では、最適の協調ポイントセットを選択するために、基地局側は、各送信ポイントからユーザへの下りチャネル情報を取得する必要がある。各送信ポイントからユーザへの下りチャネル情報を取得するために、次のような方法を採用してもよく、即ち、ユーザ装置は、サウンディング参照信号（SRS、Sounding  Reference  Signal)を送信し、基地局側の各ポイントは、同時に、該サウンディング参照信号SRSを受信し、基地局側では、ユーザ装置から各受信ポイントへの上りチャネルを算出し、そして、各送信ポイントからユーザ装置への下りチャネル情報を推定する。
【０００５】
しかし、本発明の実現過程では、発明者は、次のような問題を発見した。即ち、複数のユーザ装置が同じ時刻にサウンディング参照信号SRSを送信することをサポートするために、異なる周波数領域リソースが占用され、例えば、異なるサブバンドが占用され、又は、異なる周波数コーム（Comb)が占用され、又は、異なるコードワードリソース、例えば、循環シフト（Cyclic  shift）が占用される。しかし、従来のシステムでは、最大でも、2個の周波数Comb、8個の循環シフトCSをサポートしかできない。同一セル内において、異なる送信ポイントが多地点協調送信を行う時に、ユーザ数の増加及びSRSの多地点受信により、SRSの容量が限定され、また、下り多地点協調送信の利得にも影響する。今のところ、上述の問題を有効に解決することができる方法はまだ無い。
【０００６】
なお、上述の技術背景についての紹介は、本発明の技術案を明確且つ完全に説明し、当業者がそれを容易に理解し得るためのものだけである。これらの技術案が本発明の背景技術の部分に記載されているから、上述の技術案は当業者にとって周知のものであると思われてはいけない。
【発明の概要】
【発明が解決しようとする課題】
【０００７】
本発明の実施例の目的は、サウンディング参照信号の送信方法、基地局及びユーザ装置を提供することにあり、基地局側では、多地点協調送信モードでのユーザ装置のために、SRS送信のためのパラメータ構成情報を構成し、有限のSRSリソースを有効に利用することにより、従来技術の問題を解決することができる。
【課題を解決するための手段】
【０００８】
本発明の実施例の一側面によれば、サウンディング参照信号送信方法が提供され、該方法は、
基地局が、多地点協調送信モードでのユーザ装置のために、サウンディング参照信号を送信するためのパラメータ構成情報を構成し、該パラメータ構成情報は、サウンディング参照信号の周波数コーム、及び、次の情報、即ち、サウンディング参照信号の循環シフト、シーケンス情報、パワー制御情報及び送信回数情報のうちの１個以上を含み；及び、
該基地局が、該パラメータ構成情報をユーザ装置に送信し、これにより、該ユーザ装置が、該パラメータ構成情報に基づいて、該基地局にサウンディング参照信号を送信することを含む。
【０００９】
本発明の実施例の他の側面によれば、サウンディング参照信号送信方法が提供され、該方法は、
多地点協調送信モードに入ると構成されているユーザ装置が、基地局から送信されたパラメータ構成情報を受信し、該パラメータ構成情報は、サウンディング参照信号の周波数コーム、及び、次の情報、即ち、サウンディング参照信号の循環シフト、シーケンス情報、パワー制御情報及び送信回数情報のうちの１個以上を含み；及び、
該ユーザ装置が、該パラメータ構成情報に基づいて、該基地局にサウンディング参照信号を送信することを含む。
【００１０】
本発明の実施例の一側面によれば、基地局も提供され、該基地局は、
情報構成器であって、該情報構成器は、多地点協調送信モードでのユーザ装置のために、サウンディング参照信号を送信するためのパラメータ構成情報を構成するために用いられ、該パラメータ構成情報は、サウンディング参照信号の周波数コーム、及び、次の情報、即ち、サウンディング参照信号の循環シフト、シーケンス情報、パワー制御情報及び送信回数情報のうちの１個以上を含む、情報構成器；及び、
第一情報送信器であって、該第一情報送信器は、該パラメータ構成情報をユーザ装置に送信するために用いられ、これにより、該ユーザ装置は、該パラメータ構成情報に基づいて、該基地局にサウンディング参照信号を送信する、第一情報送信器を含む。
【００１１】
本発明の実施例の一側面によれば、ユーザ装置も提供され、該ユーザ装置は、多地点協調送信モードに配置され、該ユーザ装置は、
情報受信器であって、基地局から送信されたパラメータ構成情報を受信するために用いられ、該パラメータ構成情報は、サウンディング参照信号の周波数コーム、及び、次の情報、即ち、サウンディング参照信号の循環シフト、シーケンス情報、パワー制御情報及び送信回数情報のうちの１個以上を含む、情報受信器；及び、
第二情報送信器であって、該パラメータ構成情報に基づいて、該基地局にサウンディング参照信号を送信するために用いられる、第二情報送信器を含む。
【００１２】
本発明の実施例の一側面によれば、コンピュータ可読プログラムも提供され、そのうち、基地局において該プログラムを実行する時に、該プログラムは、コンピュータに、該基地局において上述のサウンディング参照信号送信方法を実行させる。
【００１３】
本発明の実施例の一側面によれば、コンピュータ可読プログラムを記録した記録媒体も提供され、そのうち、該コンピュータ可読プログラムは、コンピュータに、基地局において上述のサウンディング参照信号送信方法を実行させる。
【００１４】
本発明の実施例の一側面によれば、コンピュータ可読プログラムも提供され、ユーザ装置において該プログラムを実行する時に、該プログラムは、コンピュータに、該ユーザ装置において上述のサウンディング参照信号送信方法を実行させる。
【００１５】
本発明の実施例の一側面によれば、コンピュータ可読プログラムを記録した記録媒体も提供され、そのうち、該コンピュータ可読プログラムは、コンピュータに、ユーザ装置において上述のサウンディング参照信号送信方法を実行させる。
【００１６】
本発明の実施例の有益な効果は、基地局側は、多地点協調送信モードでのユーザ装置のために、SRSを送信するためのパラメータ構成情報を構成し、該ユーザ装置は、該パラメータ構成情報に基づいてSRSを送信し、これにより、有限のSRSリソースを有効に利用し、従来技術の問題を解決することができるとのことにある。
【００１７】
後述の説明及び図面を参照することにより、本発明の特定の実施形態を詳細に開示し、本発明の原理が採用され得る方式を明確にする。なお、理解すべきは、本発明の実施形態は、範囲上では、それらに限定されないとのことである。また、添付した特許請求の範囲の精神及び技術的範囲内では、本発明の実施形態は、あらゆる変更、変形及び代替によるものをも含む。
【００１８】
また、一実施形態について説明した及び/又は示した特徴は、同じ又は類似する方式で、一つ以上の他の実施形態に使用し、他の実施形態における特徴と組み合わせ、又は、他の実施形態における特徴を置換することもできる。強調すべきは、「包括/含む」のような用語は、本文に使用時に、特徴、装置（全体）、ステップ又はアセンブリの存在を指すが、一つ又は複数の他の特徴、装置（全体）、ステップ又はアセンブリの存在又は付加を排除しないことをも指すとのことである。
【図面の簡単な説明】
【００１９】
以下の図面に基づく詳細な説明により、本発明の実施例の上述及び他の目的、特徴及び利点がより明らかになる。
【図１】RRHに基づく同一セルの多地点協調送信シナリオを示す図である。
【図２】RRHに基づく異なるセルの多地点協調送信シナリオを示す図である。
【図３】本発明の実施例1におけるサウンディング参照信号送信方法のフローチャートである。
【図４】本発明の実施例2におけるサウンディング参照信号送信方法のフローチャートである。
【図５】本発明の実施例3におけるサウンディング参照信号送信方法のフローチャートである。
【図６】標識により生成されたDCI及び従来のDCI0/1Aを示す図である。
【図７】本発明の実施例4におけるサウンディング参照信号送信方法のフローチャートである。
【図８】本発明の実施例5における基地局の構成図である。
【図９】本発明の実施例5における第一情報生成器の構成図である。
【図１０】ユーザ装置の例として使用される携帯電話を示す図である。
【図１１】本発明の実施例6におけるユーザ装置の構成図である。
【発明を実施するための形態】
【００２０】
以下、図面を参照しながら、本発明の各種の実施形態について説明する。これらの実施形態は、例示的なものだけであり、本発明を限定するものではない。また、当業者が本発明の原理及び実施形態を容易に理解し得るために、本発明の実施形態では、LTE/LTE-Aシステムにおける多地点協調モードを例として説明を行うが、理解すべきは、本発明は、上述のシステムに限定されず、非周期のSRS送信に関する他のシステムにも適用できるとのことである。
【００２１】
図3は、本発明の実施例1におけるサウンディング参照信号送信方法のフローチャートである。図3に示すように、基地局側では、該方法は、次のステップを含む。
【００２２】
ステップ301：基地局は、多地点協調送信モードでのユーザ装置のために、サウンディング参照信号を送信するためのパラメータ構成情報を構成し、該パラメータ構成情報は、サウンディング参照信号の周波数コーム（Comb)、及び、次の情報、即ち、サウンディング参照信号の循環シフト（CS、Cyclic  Shift)、シーケンス情報(Root  Sequence)、パワー制御(Power  Control)及び送信回数(Transmission  Duration)情報のうちの１個以上を含み；及び、
ステップ302：該基地局は、該パラメータ構成情報をユーザ装置に送信し、これにより、該ユーザ装置は、該パラメータ構成情報に基づいて、該基地局にサウンディング参照信号（SRS)を送信する。
【００２３】
本実施例では、多地点協調送信モードについて、上述のパラメータ構成情報のパラメータ値は、非CoMP送信モードでのSRSパラメータ値と異なってもよく、また、同一セルの異なるCoMPセットのユーザ装置のSRSのシーケンス情報は、異なってもよく、同一セルの同一CoMPセットのユーザ装置のSRSのシーケンス情報は、同じである。
【００２４】
また、送信回数は、複数回と設定されてよく、このようにして、チャネル測定の精確度を向上させることができる。
【００２５】
上述の実施例から分かるように、基地局側は、多地点協調送信モードに入っているユーザ装置のために、SRSを送信するためのパラメータ構成情報を構成し、これにより、有限のSRSリソースを有効に利用し、従来技術の問題を解決することができ、また、構成方式が簡単且つ柔軟である。
【００２６】
図4は、本発明実施例2におけるサウンディング参照信号送信方法のフローチャートである。図4に示すように、ユーザ装置側では、該方法は、次のステップを含む。
【００２７】
ステップ401：ユーザ装置は、CoMP送信モードに構成される時に、該ユーザ装置は、基地局からパラメータ構成情報を受信することができ、そのうち、該パラメータ構成情報は、サウンディング参照信号の周波数コーム、及び、次の情報、即ち、サウンディング参照信号の循環シフト、シーケンス情報、パワー制御情報及び送信回数情報のうちの１個以上を含む。
【００２８】
本実施例では、ユーザ装置は、明示的に又は黙示的にCoMP送信モードに構成されてもよく、例えば、専有の上位層シグナリングにより、ユーザ装置に、CoMP送信モードに入ることを通知し、即ち、CoMPのために、新しい送信モード（Transmission  Mode)を定義し、又は、該ユーザ装置のために構成されているフィードバック（feedback)モードで、黙示的にCoMP送信モードに入る。
【００２９】
ステップ402：該ユーザ装置は、該パラメータ構成情報に基づいて、該基地局にサウンディング参照信号を送信する。
【００３０】
上述の実施例では、該パラメータ構成情報は、さらに、SRSの周期情報やSRSのバンド幅情報などを含んでもよいが、上述の情報に限定されず、実際の状況に応じて他の情報を含んでも良い。
【００３１】
上述の実施例から分かるように、多地点協調送信モードに構成されているユーザ装置は、基地局が構成した、SRSを送信するためのパラメータ構成情報を受信し、該パラメータ構成情報に基づいてSRSの送信を行い、これにより、有限のSRSリソースを有効に利用し、従来技術の問題を解決することができ、また、構成方式が簡単且つ柔軟である。
【００３２】
本実施例では、基地局は、パラメータの構成を指示するための新しい下り制御情報（DCI)を生成することにより、SRSの送信をトリガーし、また、ユーザ装置に、そのパラメータ構成情報を指示することができる。或いは、基地局は、CoMPモードで作動するユーザ装置のために設計されている専用の上位層シグナリングによって該パラメータ構成情報を通知し、下り制御情報によってSRSの送信をトリガーし、ユーザ装置に、該パラメータ構成情報を指示することもできる。以下、実施例3及び実施例4では、上述の２種類の方式で、ユーザ装置の非周期のSRSの送信をトリガーすることを例として、サウンディング参照信号の送信方法について詳細に説明する。
【００３３】
図5は、本発明の実施例3におけるサウンディング参照信号送信方法のフローチャートである。図5に示すように、基地局側では、該方法は、次のステップを含む。
【００３４】
ステップ501：基地局は、多地点協調送信モードでのユーザ装置のために、サウンディング参照信号を送信するためのパラメータ構成情報を構成する。
【００３５】
本実施例では、例えば、該パラメータ構成情報は、SRSの周期情報、SRSのバンド幅情報、SRSの周波数コーム（Comb)、SRSの循環シフト（CS)、SRSのシーケンス情報（Root  Sequence)、SRSのパワー制御（Power  Control)及び送信回数(Transmission  Duration)情報を含む。
【００３６】
なお、上述したのは、本発明の実施例だけであり、実際のニーズに応じて、上述のパラメータ構成情報のうちの一つ又は複数を構成しても良い。
【００３７】
ステップ502：該基地局は、SRSリソースの割り当てを指示するための下り制御情報を生成し、該下り制御情報は、該パラメータ構成情報に対応する指示情報、及び、該下り制御情報を識別するための標識（ID）情報を含む。
【００３８】
そのうち、該下り制御情報DCIは、下り制御チャネルPDCCHによりキャリー（搬送）されてもよい。
【００３９】
該基地局は、予め設定されている、パラメータ構成情報と指示情報とのマッピング関係に基づいて、該パラメータ構成情報に対応する指示情報を該下り制御情報に含めてユーザ装置に送信することができ、このようにして、ユーザ装置は、該下り制御情報を受信した時に、該指示情報、及び、パラメータ構成情報と指示情報とのマッピング関係に基づいて、対応するパラメータ構成情報を見つけ、その後、該パラメータ構成情報に基づいて、SRSを送信することができる。
【００４０】
本実施例では、上述の生成されたDCIは、更に、該下り制御情報を識別するための標識
情報を含み、即ち、該DCIを、SRSパラメータを指示するためのDCIとして識別し、そのうち、上述の生成された下り制御情報DCIは、従来のDCIの長さと同じであってもよく、標識桁（IDビット）により標識を行い、従来のDCIとの区別を果たすことができる。
【００４１】
例えば、DCIにおける余剰ビットを標識情報とし、従来のDCIと区別してもよい。好ましくは、従来のDCIにおける余剰ビットについては、リソース指示（RIV)における未使用のコードポイント（code  point)を標識とし、及び、RIVにおける前のM桁が全て1であれば、該DCIが上述の生成されたDCIであることを表し、そうでなければ、従来のDCI0/1Aであることを表す。図6は、標識により生成されたDCI及び従来のDCI0/1Aを示す図である。そのうち、SRSリソースの割り当てに用いる新しいDCIについては、予備ビット（reserved  bits)により該標識情報を表し、例えば、「xxxx...xx」=「llxx...xx」であれば、即ち、前の2桁が1、即ち、「11」であれば、該DCIが新しいDCIであり、SRSの送信を指示するためのパラメータ構成情報のDCIであることを把握でき、「xxxx...xx」=「01x...xx」又は「OOxx...xx」又は「lOxx...xx」であれば、DCIがDCI0/1Aであり、且つRIVがPDSCH又はPUSCHのリソースの割り当てに用いられることを把握できる。
【００４２】
なお、上述の標識方式は、本発明の実施例だけであり、他の方式を採用して該DCIを標識することもできる。
【００４３】
本実施例では、多地点協調送信モードについて、上述のパラメータ構成情報のパラメータ値は、非CoMP送信モードでのSRSパラメータ値とは異なっても良い。
【００４４】
例えば、非CoMP送信モードでは、周波数コーム（Comb)情報は1ビットであり、その値は、0又は1であるが、CoMP送信モードでは、該周波数コーム（Comb)情報は2ビットであり、その値は、0、1、2、又は3であり、表１に示すようであり、表1は、DCIにおける指示情報と周波数コームとのマッピング関係である。
【表１】
0005915739.tif 000002
【００４５】
例えば、非CoMP送信モードでは、SRSの循環シフトCSは2ビットであり、その値は、00、01、10又は11であるが、CoMP送信モードでは、該循環シフトCSは4ビットであり、その値は、0、1、2、…、又は11であり、表2に示すようであり、表2は、DCIにおける指示情報とSRSのシフトとのマッピング関係表である。
【表２】
0005915739.tif 000003
【００４６】
例えば、CoMP送信モードでは、表3は、DCIにおける持続送信時間の指示情報と、非周期SRSの送信持続時間(Duration  of  SRS  (A-periodic  SRS))、即ち、送信回数とのマッピング関係表(Mapping  of  Duration  field  in  DCI  to  transmission  duration  of  SRS)である。
【表３】
0005915739.tif 000004
【００４７】
例えば、非CoMP送信モードでは、パワー制御情報は、PUSCHと同じである高速パワー制御情報であるが、CoMP送信モードでは、上述の生成されたDCIに、SRSのために設計される専有の高速パワー制御情報が含まれており、表4に示すようであり、表4は、DCIにおけるパワー制御に対応する指示情報と、SRSのパワー制御情報とのマッピング関係表である。そのうち、表4におけるMiは、正の整数であり、ユーザの最大送信パワーは、次の式により取得することができる。
【数１】
0005915739.tif 000005
そのうち、
（外１）
0005915739.tif 000006
は、表におけるPower  Controlの成分（component）である。
【００４８】
また、
（外２）
0005915739.tif 000007
は、ユーザの最大送信パワーであり、
（外３）
0005915739.tif 000008
は、SRS送信パワーのオフセットであり、上位層シグナリングにより半静的に構成され、
（外４）
0005915739.tif 000009
は、SRSの送信バンド幅であり、
（外５）
0005915739.tif 000010
は、半静的に構成されるPUSCHパワー調整であり、
（外６）
0005915739.tif 000011
は、パスロスの補償係数であり、
（外７）
0005915739.tif 000012
は、下りパスロスであり、
（外８）
0005915739.tif 000013
は、上りスケジューリングDCI／パワー制御DCIにより指示される閉回路の高速パワー制御調整である。
【表４】
0005915739.tif 000014
【００４９】
例えば、非CoMP送信モードでは、該シーケンス情報は、セル専用のルートシーケンスであり、即ち、セルにおける全てのユーザが同じSRSシーケンスを使用することである。CoMP送信モードでは、表5は、DCIにおけるSRSのシーケンス情報に対応する指示情報と、SRSのシーケンス情報（Root  sequence  of  SRS)とのマッピング関係表である。
【表５】
0005915739.tif 000015
【００５０】
ステップ503：該基地局は、生成された上述のDCIをユーザ装置に送信する。
【００５１】
このようにして、ユーザ装置はCoMP送信モードに構成されている時に、該ユーザ装置は、該DCIを検出して、該DCIに対して解析を行うことにより、パラメータ構成情報に対応する指示情報を読み取り、且つ、該指示情報、及び、予め記憶されている、指示情報とパラメータ構成情報とのマッピング関係（例えば、表１〜表5のマッピング関係表など）に基づいて、対応するパラメータ構成情報を取得し、そして、該パラメータ構成情報を用いて非周期のSRSを送信する。
【００５２】
ユーザ装置側では、次のステップを含む。
【００５３】
ステップ504：ユーザ装置はCoMP送信モードに構成されているときに、該ユーザ装置は、基地局から送信された下り制御情報DCIを検出する。
【００５４】
そのうち、PDCCH検索空間において、標識桁における標識情報により該DCIを検出してもよく、該標識桁の標識情報がRIVにおける未使用のコードポイントを採用し、且つRIVにおける前のM桁が1であれば、該DCIを検出したことを把握することができる。
【００５５】
ステップ505：該ユーザ装置は、該DCIに対して解析を行い、該DCIに含まれている、パラメータ構成情報に対応する指示情報を取得し、そして、該指示情報、及び、予め記憶されている、指示情報とパラメータ構成情報とのマッピング関係に基づいて、対応するパラメータ構成情報を取得する。
【００５６】
そのうち、例えば、指示情報を用いて複数のマッピング関係表、例えば、表１〜表5をルックアップすることにより、対応するパラメータ構成情報を取得することができる。
【００５７】
ステップ506：該ユーザ装置は、該パラメータ構成情報を用いて非周期のSRSを送信する。
【００５８】
本実施例では、該ユーザ装置は、予め設定されている時間に、取得したパラメータ構成情報に基づいて、非周期のSRSを送信し、そのうち、該予め設定されている時間は、処理時間遅延を満足する第一個のユーザの専用のSRSサブフレーム（UE-specific  SRS  subframe)であっても良い。SRSの送信回数が複数回に構成されている時に、連続して複数回非周期SRSを送信する必要があり、この場合、該予め設定されている時間は、処理時間遅延を満足する第一個のユーザの専用のSRSサブフレーム（UE-specific  SRS  subframe)及びその隣接する複数のセルの専用のSRSサブフレーム(Cell-specific  SRSsub  frame)であっても良い。
【００５９】
上述の実施例から分かるように、基地局は、SRSリソースの割り当てを指示するための新しい下り制御情報（DCI)を生成し、そして、該下り制御情報を送信することで、CoMP送信モードに構成されているユーザ装置は、該下り制御情報において指示されているパラメータ構成情報を用いてSRSを送信することができる。該構成方式は、簡単で柔軟であり、且つ有限のリソースを有効に利用してSRSを送信し、このようにして、基地局側は、下りCoMP送信のニーズに基づいて、複数の送信ポイントTPが同時にSRSを受信することを決定し、ユーザと複数のTPとの間のチャネル情報を有効に推定することができる。
【００６０】
図7は、本発明の実施例4における上りサウンディング参照信号送信方法のフローチャートである。図7に示すように、基地局側では、該方法は、次のステップを含む。
【００６１】
ステップ701：基地局は、多地点協調送信モードでのユーザ装置のために、複数組のパラメータ構成情報を構成し、そのうち、該パラメータ構成情報は、実施例2と類似するため、ここでは、その説明を省略する。
【００６２】
本実施例では、構成されている複数組のパラメータ構成情報を、指示情報に対応付けて記憶させてもよく、表6に示すように、3組のパラメータ構成情報を構成している。
【表６】
0005915739.tif 000016
【００６３】
ステップ702：該基地局は、構成されている複数組のパラメータ構成情報をユーザ装置に通知する。
【００６４】
本実施例では、基地局は、上位層シグナリング、例えば、RRCシグナリングにより、該複数組のパラメータ構成情報をユーザ装置に通知してもよい。
【００６５】
そのうち、CoMP送信モードでのSRSパラメータ構成のための上位層シグナリングのオーバーヘッドは、非CoMP送信モードでのSRSパラメータ構成のための上位層シグナリングのオーバーヘッドとは異なってもよい。表7は、非CoMP送信モードでのSRSパラメータ構成のための上位層シグナリングである。表8は、CoMP送信モードでのSRSパラメータ構成のための上位層シグナリングである。
【００６６】
該上位層シグナリングを正確に受信するために、ユーザは、明示的に又は黙示的にCoMP送信モードに構成される必要がある。ユーザは、CoMP送信モードにある時に、表8に基づいて受信を行うが、ユーザ装置は、非CoMP送信モードにある時に、表7に基づいて受信を行う。
【表７】
0005915739.tif 000017
【表８】
0005915739.tif 000018
【００６７】
本実施例では、基地局は、上述の複数組のパラメータ構成情報を、対応する指示情報に対応付けて記憶させてもよく、また、表6に示すマッピング関係をユーザ装置に通知し、ユーザ装置UE側で記憶させてもよい。
【００６８】
表6から分かるように、指示情報‘XY’=‘01’/’10’/’11’であれば、ユーザ装置UEが所定の時間に非周期のサウンディング参照信号SRSを送信することを表し、且つ、更に、何組目のパラメータ構成情報を使うかをも指示する。また、構成されているパラメータ構成情報は、非CoMP送信モードでのパラメータ値とは異なってもよい。
【００６９】
ステップ703：該基地局は、該ユーザ装置のサウンディング参照信号の送信をトリガーし、且つ、該サウンディング参照信号の送信に使用する一組のパラメータ構成情報を指示するための下り制御情報DCIを生成する。
【００７０】
本実施例では、該基地局は、該下り制御情報を生成し、該下り制御情報DCIは、該ユーザ装置に、非周期のサウンディング参照信号SRSを送信するかどうかを指示するための指示情報、及び、非周期のSRSを送信する場合に使用する一組のパラメータ構成情報を含み、該DCIを生成する過程は、従来技術と類似するために、ここでは、詳しい説明を省略する。
【００７１】
そのうち、例えば、該指示情報は"00"であれば、非周期のSRSを送信しないことを表し、指示情報は"01"であれば、非周期のSRSを送信し、及び、使用するパラメータ構成情報が第一組のパラメータであることを表す。
【００７２】
ステップ704：該基地局は、ユーザ装置に下り制御情報DCIを送信する。
【００７３】
このようにして、ユーザ装置UEは、該下り制御情報DCIを受信した時に、そのうちの指示情報、及び、予め記憶されている、指示情報とパラメータ構成情報とのマッピング関係（例えば、表6)に基づいて、非周期のSRSを送信するかどうかを確定し、及び、SRSを送信する場合に、使用する一組のパラメータ構成情報を確定することができる。
【００７４】
上述の実施例から分かるように、基地局は、上位層シグナリングにより、構成されている複数組のパラメータ構成情報をユーザ装置に通知し、また、非周期のSRSの送信をトリガーするためのDCIを生成し、且つ、使用する一組のパラメータ構成情報を指示し、これにより、CoMP送信モードに入っているユーザ装置は、該下り制御情報において指示されているパラメータ構成情報を用いてSRSを送信することができる。
【００７５】
ユーザ装置側では、次のステップを含む。
【００７６】
ステップ705：該ユーザ装置は、基地局から送信された複数組のパラメータ構成情報を受信する。
【００７７】
本実施例では、表6に示すように、該ユーザ装置は、該複数組のパラメータ構成情報を、指示情報に対応付けて記憶させる。
【００７８】
ステップ706：該ユーザ装置は、基地局から送信された、該ユーザ装置のサウンディング参照信号の送信をトリガーし、且つ、該サウンディング参照信号の送信に使用する一組のパラメータ構成情報を指示するための下り制御情報を受信し、該下り制御情報は、該ユーザ装置が非周期のサウンディング参照信号SRSを送信するかどうかを指示するための指示情報、及び、非周期のSRSを送信する場合に使用する一組のパラメータ構成情報を含む。例えば、該指示情報は"01"であれは、該ユーザ装置は、非周期のSRSを送信する必要があること、及び、その使用するパラメータ構成情報が第一組のパラメータであることを知ることができる。
【００７９】
ステップ707：該ユーザ装置は、該DCIにおいて指示されいるパラメータ構成情報に基づいて非周期のSRSを送信する。
【００８０】
そのうち、該非周期のSRSを送信する方式は、実施例3と類似する。
【００８１】
上述の実施例から分かるように、基地局は、上位層シグナリングにより複数組のSRSの送信用のパラメータ構成情報を構成し、そして、DCIによってユーザ装置の非周期のSRSの送信をトリガーし、また、その使用する一組のパラメータ構成情報を指示し、これにより、CoMP送信モードに入っているユーザ装置は、該指示されている一組のパラメータ構成情報に基づいてSRSを送信することができる。該構成方式は、簡単で柔軟であり、且つ、有限のリソースを有効に用いてRSを送信することができる。このようにして、基地局側は、下りCoMP送信のニーズを応じて、複数の送信ポイントTPが同時にSRSを受信することを決定し、ユーザと複数のTPとの間のチャネル情報を有効に推定することができる。
【００８２】
当業者が理解すべきは、上述の実施例における方法の全部又は一部のステップは、プログラムによって、関連するハードウェアを指令することで完成することができ、また、上述のプログラムは、コンピュータ読み取り可能な記録媒体に記録してもよく、該プログラムは、実行する時に、上述の実施例における方法の全部又は一部のステップを実行させてもよく、又は、上述の記録媒体は、ROM、RAM、磁気ディスク、光ディスクなどを含んでも良い。
【００８３】
本発明の実施例は、更に、基地局及びユーザ装置を次の実施例に記載のように提供する。該基地局及びユーザ装置が問題を解決する原理は、上述の基地局及びユーザ装置に基づくサウンディング参照信号の送信方法と類似し、よって、基地局及びユーザ装置の実施は、方法の実施を参照することができるので、ここでは、重複説明を省略する。
【００８４】
図8は、本発明の実施例5における基地局の構成図である。図8に示すように、該基地局は、情報構成器801及び第一情報送信器802を含む。
【００８５】
情報構成器801：多地点協調送信モードに入っているユーザ装置のために、サウンディング参照信号の送信用のパラメータ構成情報を構成するために用いられ、該パラメータ構成情報は、サウンディング参照信号の周波数コーム、及び、次の情報、即ち、サウンディング参照信号の循環シフト、シーケンス情報、パワー制御情報及び送信回数情報のうちの１個以上を含み；及び、
第一情報送信器802：該パラメータ構成情報をユーザ装置に送信するために用いられ、これにより、前記ユーザ装置は、前記パラメータ構成情報に基づいて前記基地局にサウンディング参照信号を送信する。
【００８６】
本実施例では、多地点協調送信モードについて、上述のパラメータ構成情報は、非CoMP送信モードでのSRSパラメータとは異なってもよく、また、同一セルにおける異なるCoMPセットのユーザ装置のSRSのシーケンス情報は異なってもよく、同一セルにおける同一CoMPセットのユーザ装置のSRSのシーケンス情報は同じである。
【００８７】
また、送信回数が複数回に設置されてもよく、このようにして、チャネル測定の正確度を向上させることができる。
【００８８】
上述の実施例から分かるように、基地局側は、多地点協調送信モードに入っているユーザ装置のために、SRSの送信用のパラメータ構成情報を構成し、これによって、有限のSRSリソースを有効に用い、従来技術の問題を解決することができ、また、構成方式が簡単且つ柔軟である。
【００８９】
本実施例では、基地局は、パラメータの構成を指示するための新しい下り制御情報（DCI)を生成することでSRSの送信をトリガーし、また、ユーザ装置に、そのパラメータ構成情報を指示することができる。このような場合、図9に示すように、第一情報送信器802は、次のものを含む。
【００９０】
第一情報生成器901：サウンディング参照信号リソースの割り当てを指示するための下り制御情報を生成するために用いられ、該下り制御情報は、前記パラメータ構成情報に対応する指示情報、及び、該下り制御情報を識別するための標識（ID）情報を含み；及び、
第一送信器902：該下り制御情報をユーザ装置に送信するために用いられる。
【００９１】
このようにして、多地点協調送信モードに構成されているユーザ装置は、基地局から送信された下り制御情報を受信し、該下り制御情報中の指示情報に基づいてパラメータ構成情報を知り、そして、該パラメータ構成情報に基づいてSRSの送信を行うことができ、これにより、有限のSRSリソースを有効に利用し、従来技術の問題を解決することができ、また、構成方式が簡単且つ柔軟である。
【００９２】
他の実施例では、基地局は、CoMPモードで作動するユーザ装置のために設計されている専用の上位層シグナリングによって該パラメータ構成情報を通知し、下り制御情報によってSRSの送信をトリガーし、また、ユーザ装置に、該パラメータ構成情報を指示することができる。このような場合、情報構成器801は、具体的に、複数組のパラメータ構成情報を構成するために用いられ、第一情報送信器802は、具体的に、上位層シグナリングにより、複数組の該パラメータ構成情報を該ユーザ装置に送信するために用いられる。
【００９３】
また、該基地局は、更に、第二情報生成器及び第二送信器（図示せず）を含んでもよく、そのうち、第二情報生成器は、該ユーザ装置のサウンディング参照信号の送信をトリガーし、且つ、該サウンディング参照信号の送信に使用する一組のパラメータ構成情報を指示するための下り制御情報を生成するために用いられ、第二送信器は、該第二情報生成器により生成された下り制御情報を該ユーザ装置に送信するために用いられる。そのうち、第二情報生成器がDCIを生成する過程は、従来技術と類似するため、ここでは、詳しい説明を省略する。
【００９４】
このようにして、多地点協調送信モードに構成されているユーザ装置は、基地局から送信された複数組のパラメータ構成情報を受信し、指示情報に対応付けて記憶させ、また到基地局から送信された、該ユーザ装置のサウンディング参照信号の送信をトリガーし、且つ、該サウンディング参照信号の送信に使用する一組のパラメータ構成情報を指示するための下り制御情報を受信した時に、指示されている一組のパラメータ構成情報を用いて非周期のSRSを送信することができる。
【００９５】
図10は、ユーザ装置の例として使用される携帯電話を示す図である。なお、ユーザ装置の例は、携帯電話に限定されず、通信能力を有する任意の設備、例えば、ゲーム機、PDA、ノートパソコンなどであっても良い。
【００９６】
図10に示すように、携帯電話100は、開位置及び閉合位置との間に移動可能なカバー1001を有する折り畳み型電話であっても良い。図10に示すのは、カバー1001は、開位置に位置するものである。なお、理解すべきは、携帯電話100は、他の構造、例えば、「長い板型電話」又は「スライド型電話」のような構造を有しても良いとのことである。
【００９７】
携帯電話100は、表示器1002を含んでもよく、表示器1002は、ユーザに、例えば、操作の状態、時間、電話番号、電話帳情報、各種のメニューなどの情報を表示し、これにより、ユーザは、携帯電話100の各種の特徴を利用することができる。表示器1002は、更に、可視的に、携帯電話100が受信した、及び/又は、携帯電話100の記憶器（図示せず）から検索により得た内容を表示しても良い。表示器1002は、ユーザに、画像、ビデオ、及び他の図形、例えば、写真、移動テレビの内容、及びゲームに関連するビデオを表示してもよい。
【００９８】
キーボード1003は、複数種類のユーザ入力操作を提供する。例えば、キーボード1003は、英数字情報（例えば、電話番号、電話番号リスト、電話帳情報、メモ帳、テキストなど）の入力を許す英数字キーを含んでもよい。また、キーボード1003は、特定の機能キー1004、例えば、起動又は電話に応答するための“送信”キー、及び、終了又は電話を“切る”ための“終了”キーを含んでもよい。特定の機能キーは、さらに、表示器1002のメニューに表示されている、ナビゲーションに便利なナビゲーションメニューにおけるメニューナビゲーションキー及び選択キーを含んでもよい。例えば、ポインティングデバイス及び/又はナビゲーションキーを提供することにより、ユーザからの指向性入力を受信することができる。また、表示器1002及びキーボード1003は、組み合わせて使用することにより、ソフトキーの機能を実現することができる。また、携帯電話100は、さらに、アンテナ、マイクロコントローラ、スピーカー1005及びマイク1006などの、その機能を実現するに必要な部品を含んでもよい。
【００９９】
図11は、本発明の実施例6におけるユーザ装置の構成図である。図11に示すように、本発明の一実施形態によるユーザ装置100は、ユーザ装置が多地点協調送信モードに構成されている時に、該ユーザ装置は、次のものを含む。
【０１００】
情報受信器1101：基地局から送信されたパラメータ構成情報を受信するために用いられ、該パラメータ構成情報は、サウンディング参照信号の周波数コーム、及び、次の情報、即ち、サウンディング参照信号の循環シフト、シーケンス情報、パワー制御情報及び送信回数情報のうちの１個以上を含み；及び、
第二情報送信器1102：パラメータ構成情報に基づいて、該基地局にサウンディング参照信号を送信するために用いられる。
【０１０１】
本実施例では、基地局は、パラメータの構成を指示するための新しい下り制御情報（DCI)を生成することでSRSの送信をトリガーし、また、ユーザ装置に、そのパラメータ構成情報を指示することができる。このような場合、情報受信器1101は、具体的に、基地局が送信したDCIを検出し、該DCI中の指示情報を取得し、そして、該指示情報、及び、指示情報とパラメータ構成情報とのマッピング関係に基づいて、該パラメータ構成情報を取得することができる。
【０１０２】
本実施例では、基地局は、CoMPモードで作動するユーザ装置のために設計されている専用の上位層シグナリングによって該パラメータ構成情報を通知し、下り制御情報によってSRSの送信をトリガーし、また、ユーザ装置に、該パラメータ構成情報を指示することができる。このような場合、情報受信器1101は、基地局から送信された複数組のパラメータ構成情報を受信することができ、また、該ユーザ装置は、さらに、記憶ユニット（図示せず）を含んでもよく、該記憶ユニット、上述の複数組のパラメータ構成情報を記憶するために用いられる。また、該情報受信器1101は、さらに、基地局から送信された、ユーザ装置の非周期SRSの送信をトリガーし、また、使用する一組のパラメータ構成情報を指示するためのDCIを受信し、そして、該指示情報に基いてその使用する一組のパラメータ構成情報を取得するために用いられる。
【０１０３】
上述の実施例から分かるように、基地局は、パラメータの構成を指示するために新しい下り制御情報（DCI)を生成することでSRSの送信をトリガーし、また、ユーザ装置に、そのパラメータ構成情報を指示することができる。或いは、基地局は、CoMPモードで作動するユーザ装置のために設計されている専用の上位層シグナリングによって該パラメータ構成情報を通知し、下り制御情報によってSRSの送信をトリガーし、また、ユーザ装置に、該パラメータ構成情報を指示することができる。このようにして、有限のSRSリソースを有効に利用することができ、また、構成方式が簡単且つ柔軟である。
【０１０４】
本発明の実施例は、更に、コンピュータ可読プログラムを提供し、そのうち、基地局において前記プログラムを実行する時に、前記プログラムは、コンピュータに、前記基地局において実施例1、3、4に記載のサウンディング参照信号送信方法を実行させる。
【０１０５】
本発明の実施例は、更に、コンピュータ可読プログラムを記録した記録媒体を提供し、そのうち、前記コンピュータ可読プログラムは、コンピュータに、基地局において実施例1、3、4に記載のサウンディング参照信号送信方法を実行させる。
【０１０６】
本発明の実施例は、更に、コンピュータ可読プログラムを提供し、そのうち、ユーザ装置において前記プログラムを実行する時に、前記プログラムは、コンピュータに、前記ユーザ装置において、実施例2、3、4に記載のサウンディング参照信号送信方法を実行させる。
【０１０７】
本発明の実施例は、更に、コンピュータ可読プログラムを記録した記録媒体を提供し、そのうち、前記コンピュータ可読プログラムは、コンピュータに、ユーザ装置において実施例2、3、4に記載のサウンディング参照信号送信方法を実行させる。
【０１０８】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。本発明は、さらに、上述のプログラムを記録している記憶媒体、例えば、ハードディスク、磁気ディスク、光ディスク、DVD、flashメモリなどにも関する。
【０１０９】
以上、本発明の好ましい実施形態を説明したが、本発明はこの実施形態に限定されず、本発明の趣旨を離脱しない限り、本発明に対するあらゆる変更は本発明の技術の範囲に属する。
【図１】
0005915739.tif 000019
【図２】
0005915739.tif 000020
【図３】
0005915739.tif 000021
【図４】
0005915739.tif 000022
【図５】
0005915739.tif 000023
【図６】
0005915739.tif 000024
【図７】
0005915739.tif 000025
【図８】
0005915739.tif 000026
【図９】
0005915739.tif 000027
【図１０】
0005915739.tif 000028
【図１１】
0005915739.tif 000029